(57)【特許請求の範囲】
【請求項１】
紙管材によって形成される外胴部材と、紙製帯板を筒状に丸めて外胴部材の中に挿入することで、紙製帯板自体の弾性復元力によって、外胴部材の内周面に添うように円筒状に形成される内胴部材と、紙製円板よりなる左右一対のフランジ部材とからなり、内胴部材には軸方向左右両端縁に夫々複数の係合突片が突設され、フランジ部材には、内胴部材の係合突片が挿通する挿通溝と、この係合突片の先端部を折り返して差し込むための差込溝とが設けられ、しかして外胴部材に内胴部材を内嵌合し、しかる後に、この内胴部材の係合突片を左右フランジ部材の挿通溝にその内側から外側に向けて挿通すると共に、その先端部を折り返して前記差込溝に外側から内側に向けて差し込み係着してなる紙製ドラム。
【請求項２】
外胴部材を形成する紙管材及びフランジ部材を形成する紙製円板は、内胴部材を形成する紙製帯板の厚さよりも厚くなっている請求項１に記載の紙製ドラム。
【発明の詳細な説明】
【技術分野】
【０００１】
本発明は、被覆電線等を巻き取るのに使用される紙製のドラムに関する。
【背景技術】
【０００２】
従来の紙製ドラムとして、特許公報等の具体的な公知文献を挙げることはできないが、従来使用されている紙製ドラムには、紙製帯板を巻いて筒状に形成し、その紙製帯板の両端部を連結固定してなる胴部材と、紙製円板よりなる左右一対のフランジ部材とからなり、胴部材には軸方向左右両端縁に夫々複数の取付片が突設されていて、この胴部材の両端にフランジ部材を同心状に配置し、胴部材側の取付片を外向き直角に折り曲げて、この折り曲げた取付片をフランジ部材の内側面に当て付けて、ステッチャーで固定することにより形成されるものがある。
【発明の開示】
【発明が解決しようとする課題】
【０００３】
上記のようにして形成される紙製ドラムは、胴部材それ自体の強度、及び胴部材とフランジ部材との結合部の強度が弱く、もっぱら使い捨て用として使用されるだけで、何回も使用できるような構造のものではなかった。そこで、本発明は、胴部に十分な剛性と曲げ強度が確保されると共に、胴部とフランジ部材との結合部の強度も十分に確保される紙製ドラムを提供することを目的とする。
【課題を解決するための手段】
【０００４】
上記課題を解決するための手段を、後述する実施形態の参照符号を付して説明すると、請求項１に係る発明に係る紙製ドラムＡは、紙管材ａによって形成される外胴部材１と、紙製帯板ｂを筒状に丸めて外胴部材１の中に挿入することで、紙製帯板ｂ自体の弾性復元力によって、外胴部材１の内周面に添うように円筒状に形成される内胴部材２と、紙製円板ｃよりなる左右一対のフランジ部材３，３とからなり、内胴部材２には軸方向左右両端縁に夫々複数の係合突片５が突設され、フランジ部材３には、内胴部材２の係合突片５が挿通する挿通溝８と、この係合突片５の先端部５ａを折り返して差し込むための差込溝９とが設けられ、しかして外胴部材１に内胴部材２を内嵌合し、しかる後に、この内胴部材２の係合突片５を左右フランジ部材３，３の挿通溝８にその内側から外側に向けて挿通すると共に、その先端部５ａを折り返して前記差込溝９に外側から内側に向けて差し込み係着してなることを特徴とする。
【０００５】
請求項２は、請求項１に記載の紙製ドラムにおいて、外胴部材１を形成する紙管材ａ及びフランジ部材３を形成する紙製円板ｃは、内胴部材２を形成する紙製帯板ｂの厚さよりも厚くなっていることを特徴とする。
【発明の効果】
【０００６】
上記解決手段による発明の効果を、後述する実施形態の参照符号を付して説明すると、請求項１に係る発明によれば、紙管材ａよりなる外胴部材１と、紙製帯板ｂを丸めて筒状とされる内胴部材２とによってドラムＡの胴部が形成されると共に、内胴部材２の軸方向左右両端部に突設した係合突片５…を左右フランジ部材３，３の挿通溝８に内側から外側に向けて挿通し更にその先端部５ａを差込溝９に外側から内側に向けて差し込み係着することによって内胴部材２が左右フランジ部材３，３に固定されるから、外胴部材１と内胴部材２とからなり、特に外胴部材１を形成する紙管材ａは管状一体に形成され、径方向及び長手方向（管軸方向）の圧縮強度が極めて大であるから、ドラムＡの胴部に十分な剛性と曲げ強度が確保されると共に、この胴部とフランジ部材３との結合部の強度も十分に確保され、従って何回を繰り返し使用することができ、きわめて経済的な紙製ドラムＡを提供することができる。
【０００７】
また、この紙製ドラムＡによれば、組み立てにあたって、内胴部材２は、紙製帯板ｂを筒状に丸めて外胴部材１の中に挿入するだけで、紙製帯板ｂ自体の弾性復元力によって、外胴部材１の内周面に添うような円筒状に形成され、内胴部材２が外胴部材１の内周面に密着するようになるから、内胴部材２を形成する紙製帯板ｂの両端部を、接着剤で接着したりステッチャー等によって連結する必要がなく、そして外胴部材１は紙管材ａを所要長さに切断したものを使用するから、紙製ドラムＡの胴部の形成作業が簡単容易となって、製作コストの低廉化を図ることができる。
【０００８】
また、この紙製ドラムＡは、外胴部材１と、内胴部材２と、左右一対のフランジ部材３，３とからなるもので、部材点数が少なく且つ構造が簡単であるから、製作コストを一層低廉化することができる。
【０００９】
請求項２に記載のように、外胴部材１を形成する紙管材ａ及びフランジ部材３を形成する紙製円板ｃを、内胴部材２を形成する紙製帯板ｂの厚さよりも厚くすることによって、紙製ドラムＡの胴部及びフランジ部の剛性を一層高めると共にその強度を強くすることができながら、ドラムＡの組み立てに際しては、内胴部材２の係合突片５の折り曲げが容易となって、ドラムＡの製作が簡単容易となる。
【００１０】
特に、フランジ部材３を形成する紙製円板ｃとして厚い段ボール紙を使用することによって、後述のようにドラム取付軸を挿通させるための中央孔部１０，１０に金属製の鳩目１２，１２を装着する必要がなく、単に中央孔部１０，１０を形成するだけで、これに挿通されたドラム取付軸によって中央孔部１０，１０が型崩れすることなく強固に紙製ドラムＡを支持することができる。またこのように、フランジ部材３を形成する紙製円板ｃとして厚い段ボール紙を使用することによって、紙製ドラムＡはその構成材料が全て紙材によって形成されることになり、これがために廃棄処理する際に、有害な産業廃棄物としてではなく、無害な通常の廃棄物として安価に廃棄処理することができる。
【発明を実施するための最良の形態】
【００１１】
以下に本発明の好適実施形態を図面に基づいて説明すると、図１は本発明に係る紙製ドラムの外観斜視図、図２は紙製ドラムの拡大縦断面図、図３の(a) は内胴部材の展開平面図、(b) はフランジ部材の正面図、図４は本発明に係る紙製ドラムの分解斜視図である。この紙製ドラムＡは、図４に示すように既製の紙管材ａにより形成される外胴部材１と、図３に示すような紙製帯板ｂを丸めて筒状に形成する内胴部材２と、例えば段ボール紙を打ち抜いて形成される紙製円板ｃよりなる左右一対のフランジ部材３，３と、から構成される。
【００１２】
外胴部材１を形成する紙管材ａは、所定の内径を有する円筒状に形成された既製のもので、この紙管材ａが図４に示すように所定の軸方向長さＬａに切断されることによって、外胴部材１が形成される。
【００１３】
内胴部材２を形成する紙製帯板ｂは、図３の(a) 及び図４に示すように、外筒部材１の軸方向長さＬａと同じ寸法の幅Ｌｂと、外胴部材１の内径ｄにπ（約３．１４）を乗じた数値よりも所要長さだけ長い長さＴとを有する矩形状本体４からなるもので、この矩形状本体４の両側端縁（即ち、内胴部材２の軸方向両端縁）には、夫々、略々台形状を成している複数の係合突片５…が一体に突設されており、そして各係合突片５にはその付け根部分と先端部側とに折れ目６，７が設けられている。
【００１４】
各フランジ部材３には、図３の(b) に示すように、内胴部材２の各係合突片５が挿通する挿通溝８と、この係合突片５の先端部５ａを折り返して差し込むための差込溝９とが、中央孔部１０から夫々一定半径の位置に夫々周方向に所要間隔をおいて設けられている。各挿通溝８は、紙製帯板ｂの板厚の２倍程度のスリット幅（溝間隙）でスリット状に形成されており、また各差込溝９は、紙製帯板ｂの板厚より僅かに大きい溝間隙で略々コ字状に切り込まれている。
【００１５】
尚、各フランジ部材３には、図１、図３、図４に示すように、挿通溝８及び差込溝９以外に、内胴部材２の内部から外胴部材１の外側に亘って開口する開口部を形成するためのコ字状の切り込み１１が設けてあり、このコ字状切り込み１１を開いて形成される開口部には、ドラム使用時に外胴部材１に巻き取られる被覆電線等の端部が挿通されるようになっている。
【００１６】
また、左右両フランジ部材３，３の中央孔部１０，１０には夫々金属製の鳩目１２が挿着されていて、ドラム使用時に、これらの鳩目１２，１２にドラム取付軸が挿通されるようになっている。
【００１７】
また、外胴部材１を形成する紙管材ａ及びフランジ部材３を形成する紙製円板ｃは、内胴部材２を形成する紙製帯板ｂの厚さよりも十分厚くなっている。例えば、内筒部材２を形成する紙製帯板ｂの厚さを１ｍｍとすれば、外胴部材１形成する紙管材ａの厚みは例えば１．５〜２ｍｍ、フランジ部材３を形成する紙製円板ｃには、４〜１５ｍｍ厚さの段ボール紙を使用する。尚、フランジ部材３は段ボール紙に限るものではなく、他の適当な厚紙を使用することができるが、段ボール紙は比較的軽量であるが、強度が高いため、フランジ部材３を形成する紙製円板ｃとして良好である。
【００１８】
例えば、図５の（ａ）は、波状の心材１０ａの表裏にライナーと称される表裏紙１０ａ，１０ｂを貼着し、厚さＬ１が４ｍｍ程度である両面段ボール紙を示し、これをフランジ部材３を形成する紙製円板ｃとして使用することができる。また、図５の（ｂ）に示すように、中心部に芯紙１０ｄを挟んでその上下部に波状の心材１０ａ，１０ａと表裏紙１０ｂ，１０ｃとを貼着し、厚さＬ２が６ｍｍ程度である段ボール紙を複両面段ボール紙と称し、この複両面段ボール紙をフランジ部材３を形成する紙製円板ｃとして使用するようにすれば、より一層強度の高いフランジ部材３とすることできる。さらにまた、図５の（ｃ）に示すように、２層の芯紙１０ｄ，１０ｅを挟んでその中間部と上下部とに波状の心材１０ａ，１０ａ，１０ａと表裏紙１０ｂ，１０ｃを貼着し、厚さＬ３が１５ｍｍ程度である段ボール紙を三層段ボール紙と称し、この三層段ボール紙をフランジ部材３を形成する紙製円板ｃとして使用するようにすれば、重量物を巻き取っても長期間にわたって型崩れすることなく安定して使用することができる。
【００１９】
そして、以上の段ボール紙をフランジ部材３を形成する紙製円板ｃとして使用することによって、上述のようにフランジ部材３，３の中央孔部１０，１０に金属製の鳩目１２を装着する必要がなく、それだけ結果的に安価に製作することができる。
【００２０】
次に、上記のような構成よりなる紙製ドラムＡの組み立て方法について説明する。
【００２１】
先ず、図３の(a) に示すような紙製帯板ｂを、紙管材ａよりなる外胴部材１の内径より径小の筒状に丸めて、紙製帯板ｂの両端部が重なり合うような内胴部材２を形成し、この内胴部材２を外胴部材１の中に嵌合し、しかして内胴部材２の軸方向左右両端縁と外胴部材１の軸方向左右両端縁とを揃えた状態で、内胴部材２の係合突片５…を外胴部材１の軸方向左右両端縁から夫々突出させる。
【００２２】
このとき、紙製帯板ｂは、内胴部材２を形成するように筒状に丸めて外胴部材１の中に挿入すれば、この紙製帯板ｂの弾性復元力によって、内胴部材２が外胴部材１の内周面に密着するようになるから、この内胴部材２を形成する紙製帯板ｂの両端部を、接着剤で接着したりステッチャー等によって連結固定する必要がない。
【００２３】
次いで、外胴部材１の軸方向左右両端縁から夫々突出する内胴部材２の係合突片５…を左右各フランジ部材３の挿通溝８にその内側から外側に向けて挿通し、図２の仮想線で示すような状態とし、しかして同仮想線図示のように各挿通溝８の外側に突出した各係合突片５を、その付け根部分の折れ目６から内向きに折り返し、更にその先端部５ａを先端部側の折れ目７から内向きに折り返して、この先端部５ａを、図２に実線で示されるように挿通溝８に隣接する差込溝９に外側から内側に向けて差し込み係着する。これによって、外胴部材１及びこれに内嵌合された内胴部材２に対する左右一対のフランジ部材３，３の組み付けが完了し、図１に示すような紙製ドラムＡが完成する。
【００２４】
上記のように組み立てられる紙製ドラムＡによれば、紙管材ａよりなる外胴部材１と、紙製帯板ｂを丸めて筒状とされる内胴部材２とによってドラムＡの胴部が形成されると共に、内胴部材２の軸方向左右両端部に突設した係合突片５…を左右フランジ部材３，３の挿通溝８に内側から外側に向けて挿通し更にその先端部５ａを差込溝９に外側から内側に向けて差し込み係着することによって、内胴部材２が左右フランジ部材３，３に固定されるから、外胴部材１と内胴部材２とからなるドラムＡの胴部に十分な剛性と曲げ強度が確保されると共に、この胴部とフランジ部材３との結合部の強度も十分に確保されることになり、従って従来のような使い捨てではなく、何回も使用することができる。
【００２５】
また、この紙製ドラムＡにおいては、外胴部材１を形成する紙管材ａ及びフランジ部材３を形成する紙製円板ｃを、内胴部材２を形成する紙製帯板ｂの厚さよりも厚くすることによって、紙製ドラムＡの胴部及びフランジ部の剛性を一層高めると共にその強度を強くすることができながら、ドラムＡの組み立てに際して、内胴部材２の係合突片５の折り曲げが容易となって、ドラムＡの製作が簡単容易となる。
【００２６】
特に、この紙製ドラムＡにあっては、内胴部材２は、紙製帯板ｂを筒状に丸めその両端部をフリーな状態で外胴部材１の中に挿入するだけで、紙製帯板ｂ自体の弾性復元力により、外胴部材１の内周面に添うような円筒状に形成されて、内胴部材２が外胴部材１の内周面に密着するようになるから、この内胴部材２を形成する紙製帯板ｂの両端部を、接着剤で接着したりステッチャー等によって連結する必要がなく、また外胴部材１は既製の紙管材ａを所要長さに切断したものを使用すればよいから、紙製ドラムＡの胴部の形成作業が簡単容易となって、製作コストの低廉化を図ることができる。
【００２７】
また、この紙製ドラムＡは、外胴部材１と、内胴部材２と、左右一対のフランジ部材３，３とからなるもので、部材点数が少なく且つ構造が簡単であるから、製作コストを一層低廉化することができる。
【図面の簡単な説明】
【００２８】
【図１】本発明に係る紙製ドラムの外観斜視図である。
【図２】紙製ドラムの拡大縦断面図である。
【図３】(a) は内胴部材の展開平面図、(b) はフランジ部材の正面図である。
【図４】本発明に係る紙製ドラムの分解斜視図である。
【図５】（ａ）〜（ｃ）は、フランジ部材を形成する板状部材の各種厚さの異なった段ボール紙の断面図である。
【符号の説明】
【００２９】
Ａ              紙製ドラム
１              外胴部材
２              内胴部材
３              フランジ部材
５              係合突片
６，７          折れ目
８              挿通溝
９              差込溝
【図１】
0004648222.tif 000002
【図２】
0004648222.tif 000003
【図３】
0004648222.tif 000004
【図４】
0004648222.tif 000005
【図５】
0004648222.tif 000006